(57)【特許請求の範囲】
【請求項１】
被検体の皮膚表面上に配置される送光プローブと、当該皮膚表面上に配置される受光プローブとを有する送受光部と、
前記送光プローブが皮膚表面に光を照射するとともに、前記受光プローブが皮膚表面から放出される光を検出するように制御することで、前記被検体の測定部位に関する受光量情報を得る送受光部制御部と、
前記受光量情報に基づいて、ヘモグロビン濃度の変化量を算出する演算部とを備え、
前記被検体に負荷をかけ続けるタスク期間と、前記被検体から負荷を除去するとともに、前記ヘモグロビン濃度の変化量の値及び／又は傾きを定常状態に回復するためのレスト期間とが交互に複数回繰り返されることにより、前記ヘモグロビン濃度の変化量の経時変化を示す測定データを得る光測定装置であって、
前記ヘモグロビン濃度の変化量の値及び／又は傾きが定常状態であるか否かを判定するための閾値が設定される設定部と、
前記レスト期間におけるヘモグロビン濃度の変化量の値及び／又は傾きを算出する算出部と、
前記レスト期間におけるヘモグロビン濃度の変化量の値及び／又は傾きと、前記ヘモグロビン濃度の変化量の値及び／又は傾きが定常状態であるか否かを判定するための閾値とに基づいて、前記レスト期間におけるヘモグロビン濃度の変化量の値及び／又は傾きが定常状態であるか否かを判定する判定部と、
前記判定部がヘモグロビン濃度の変化量の値及び／又は傾きが定常状態であると判定したときに、前記レスト期間からタスク期間へ移行させる移行部とを備えることを特徴とする光測定装置。
【請求項２】
前記算出部は、直前の設定期間でのヘモグロビン濃度の変化量の値と、新たに算出されるヘモグロビン濃度の変化量の値とを用いて、平滑化処理を行うことにより、前記ヘモグロビン濃度の変化量の補正値及び／又はその傾きを算出することを特徴とする請求項１に記載の光測定装置。
【請求項３】
前記移行部は、前記レスト期間からタスク期間へ移行するように指示する画像を表示することを特徴とする請求項１又は請求項２に記載の光測定装置。
【請求項４】
前記設定部は、前記タスク期間の時間と回数とが設定され、
前記移行部は、前記タスク期間からレスト期間へ移行するように指示する画像を表示することを特徴とする請求項１〜請求項３のいずれかに記載の光測定装置。
【請求項５】
前記ヘモグロビン濃度は、オキシヘモグロビン濃度とデオキシヘモグロビン濃度とであり、
前記送受光部制御部は、前記送光プローブが異なる複数の波長の光を照射するとともに、前記受光プローブが異なる複数の波長の光をそれぞれ検出するように制御することで、前記受光量情報を得て、
前記判定部は、前記オキシヘモグロビン濃度及びデオキシヘモグロビン濃度の両方の変化量の値及び／又は傾きが定常状態であるか否かを判定して、
前記移行部は、前記判定部がオキシヘモグロビン濃度及びデオキシヘモグロビン濃度の両方の変化量の値及び／又は傾きが定常状態であると判定したときに、前記レスト期間からタスク期間へ移行させることを特徴とする請求項１〜請求項４のいずれかに記載の光測定装置。
【請求項６】
前記送受光部は、複数個の送光プローブと複数個の受光プローブとを有し、
前記送受光部制御部は、前記複数の測定部位に関する受光量情報を得て、
前記判定部は、前記複数の測定部位におけるヘモグロビン濃度の変化量の値及び／又は傾きが定常状態であるか否かを判定して、
前記移行部は、前記判定部が全ての測定部位におけるヘモグロビン濃度の変化量の値及び／又は傾きが定常状態であると判定したときに、前記レスト期間からタスク期間へ移行させることを特徴とする請求項１〜請求項５のいずれかに記載の光測定装置。
【発明の詳細な説明】
【技術分野】
【０００１】
本発明は、非侵襲で血流の経時変化や酸素供給の経時変化を測定する光測定装置に関する。特に、脳の各部位における血流の経時変化や酸素供給の経時変化を測定することにより、生体の組織が正常であるか否かを診断するための酸素モニタや循環器系障害診断装置等として使用することができる光測定装置に関する。
【背景技術】
【０００２】
ヘモグロビンは、血液中で酸素を運搬する役割を果たしている。血液中に含まれるヘモグロビン濃度は、血管の拡張・収縮に応じて増減するため、ヘモグロビン濃度の変化量ΔＶｈｂ（ｔ）を測定することによって、血管の拡張・収縮を検出することが知られている。
そこで、ヘモグロビン濃度の変化量ΔＶｈｂ（ｔ）が生体内部の酸素代謝機能に対応することを利用することにより、光を用いて生体内部を簡便に非侵襲で測定する生体測定方法が知られている。ヘモグロビン濃度の変化量ΔＶｈｂ（ｔ）は、可視光から近赤外領域までの波長の光を生体に照射することにより、生体を透過して得られる光強度の変化量（受光量情報）から求められる。
【０００３】
さらに、ヘモグロビンは、酸素と結合してオキシヘモグロビンとなり、一方、酸素と離れてデオキシヘモグロビンとなる。脳内では、血流再配分作用によって活性化している部位には酸素供給が行われ、酸素と結合したオキシヘモグロビン濃度が増加することも知られている。よって、オキシヘモグロビン濃度の変化量ΔＶｏｘｙ（ｔ）を測定することにより、脳活動の観察に応用することができる。オキシヘモグロビンとデオキシヘモグロビンとは、可視光から近赤外領域にかけて異なる分光吸収スペクトル特性を有しているので、異なる波長（例えば、７８０ｎｍ、８０５ｎｍ、８３０ｎｍ）の近赤外光を用いてオキシヘモグロビン濃度の変化量ΔＶｏｘｙ（ｔ）とデオキシヘモグロビン濃度の変化量ΔＶｄｅｏｘｙ（ｔ）とをそれぞれ求めることができる。
【０００４】
そこで、非侵襲で脳活動を測定するために、送光プローブと受光プローブとを備える光測定装置が開発されている。光測定装置では、被検体の頭皮表面上に配置した送光プローブにより、脳に近赤外光を照射するとともに、頭皮表面上に配置した受光プローブにより、脳から放出された近赤外光の光強度の変化量（受光量情報）を検出する。近赤外光は、頭皮組織や骨組織を透過し、かつ、血液中のオキシヘモグロビン或いはデオキシヘモグロビンにより吸収される。よって、このような送光プローブと受光プローブとを備える光測定装置において異なる３種類の波長の近赤外光を用いて、脳の測定部位に関する受光量情報を得ることにより、脳の測定部位におけるオキシヘモグロビン濃度の変化量ΔＶｏｘｙ（ｔ）、デオキシヘモグロビン濃度の変化量ΔＶｄｅｏｘｙ（ｔ）、さらにはこれらから算出されるヘモグロビン濃度の変化量ΔＶｈｂ（ｔ）の経時変化を測定データとして得ている。
【０００５】
さらに、運動や感覚や思考等の脳機能に関する脳の複数の測定部位におけるオキシヘモグロビン濃度の変化量ΔＶｏｘｙ（ｔ）の経時変化等の測定データを計測することにより、脳機能診断や循環器系障害診断等の医療分野に適用される光測定装置が開発されてきている。このような光測定装置では、例えば、近赤外分光分析計（以下、「ＮＩＲＳ」と略す）等が利用されている（例えば、特許文献１参照）。
ＮＩＲＳにおいては、複数個の送光プローブと、複数個の受光プローブとを所定の配列で被検体の頭皮表面に密着させるために、ホルダが使用される。このようなホルダは、例えば、頭皮表面の形状に合わせて椀形状に成型されている。成型ホルダには貫通孔が複数個設けられ、送光プローブと受光プローブとがそれらの貫通孔に挿入されることによって、送光プローブと受光プローブとの間隔（以下、「チャンネル」という）が一定となり、頭皮表面から特定の深度となる位置から受光量情報を得ている。
【０００６】
図２は、上述したようなＮＩＲＳにおける送受光部１１の９個の送光プローブと８個の受光プローブとの位置関係の一例を示す平面図である。送光プローブ１２と受光プローブ１３とは、斜め方向とその直交方向とに交互となるように配置されている。
ＮＩＲＳでは、一般的にチャンネルを３０ｍｍとしたものが用いられ、チャンネルが３０ｍｍである場合には、チャンネルの中点からの深度１５ｍｍ〜２０ｍｍの受光量情報が得られると考えられている。すなわち、頭皮表面から深度１５ｍｍ〜２０ｍｍの位置は脳表部位にほぼ対応し、脳活動に関した受光量情報が得られる。
なお、送光プローブ１２から照射された光は、隣接する受光プローブ１３以外の離れた受光プローブ１３でも検出されるが、ここでは説明を簡単にするため、隣接する受光プローブ１３のみで検出されることとする。よって、図２に示すようなチャンネル番号＃１〜＃２４の位置である合計２４個の受光量情報が得られることとする。
このようなＮＩＲＳで得られた受光量情報から求められた測定データ（オキシヘモグロビン濃度の変化量ΔＶｏｘｙ（ｔ）の経時変化等）は、医師や検査技師等によって観察されるために、モニタ画面に画像として表示される。
【０００７】
このとき、生体の組織が正常であるか否かを診断するために、医師や検査技師等が、被検体へ刺激（以下、「負荷」や「タスク」という）を与えて、被検体の脳を活動させたときに得られる測定データを観察する生体測定方法がある（例えば、特許文献２参照）。図７は、オキシヘモグロビン濃度の変化量ΔＶｏｘｙ（ｔ）の経時変化を示す測定データの一例を示す図である。測定データにおける縦軸を被検体がＮＩＲＳを装着した時点のオキシヘモグロビン濃度からのオキシヘモグロビン濃度の変化量ΔＶｏｘｙとし、横軸を時間ｔとする。
このような生体測定方法では、例えば、医師や検査技師等が時間ｔを計りながら、まず、被検体を或る一定時間Ｙ、指の運動をさせる課題遂行状態にさせ（以下、「タスク期間」や「ＴＡＳＫ」という）、その後、被検体を或る一定時間Ｘ、安静な定常状態にさせる（以下、「レスト期間」や「ＲＥＳＴ」という）。その後、再度、被検体を一定時間Ｙ、指の運動をさせる課題遂行状態にさせた後、一定時間Ｘ、安静な定常状態にさせるというように、レスト期間とタスク期間とを交互に複数回Ｒ（以下、「タスク繰り返し回数」という）繰り返している。これにより、図７に示すようなオキシヘモグロビン濃度の変化量ΔＶｏｘｙ（ｔ）の経時変化を示す測定データを得ている。
【０００８】
また、このような計測を開始する前に医師や検査技師等が、モニタ画面に表示された入力画面を用いて、タスク期間の時間Ｙやレスト期間の時間Ｘやタスク繰り返し回数Ｒ等の計測条件を入力して設定する光測定装置がある。図８は、従来の光測定装置における計測条件を設定するための入力画面の一例を示す図である。例えば、タスク期間の時間Ｙを２０秒とし、レスト期間の時間Ｘを２５秒とし、タスク繰り返し回数Ｒを３回とするように、キーボード等を用いて入力画面に入力する。これにより、計測を実行した場合に、光測定装置が、入力された計測条件に基づいて、タスク期間からレスト期間へ移行するときには、タスク期間からレスト期間へ移行するように指示する画像を表示したり、レスト期間からタスク期間へ移行するときには、レスト期間からタスク期間へ移行するように指示する画像を表示したりしている。そして、医師や検査技師等がモニタ画面に表示された画像を見ながら被検体に指示を与え、被検体は医師や検査技師等からの指示に従ってレスト期間とタスク期間とを交互に複数回Ｒ、実行している。
【特許文献１】特開２００６−１０９９６４号公報
【特許文献２】特開２００４−１８４４０２号公報
【発明の開示】
【発明が解決しようとする課題】
【０００９】
しかしながら、医師や検査技師等が時間ｔを計ったり、入力画面を用いてタスク期間の時間Ｙやレスト期間の時間Ｘやタスク繰り返し回数Ｒ等の計測条件を入力して設定したりすることになるが、計測を開始する前では、被検体が定常状態（例えば、｜ΔＶｏｘｙ（ｔ）｜≦０．０５ｍｍｏｌ）に回復するために必要となる時間がわからない。そのため、医師や検査技師等が、タスク期間により変化した被検体が定常状態に回復する時間より、レスト期間の時間Ｘを短く設定したときには、オキシヘモグロビン濃度の変化量ΔＶｏｘｙ（ｔ）が定常状態に回復する前に、レスト期間から次のタスク期間に移行して、被検体に指の運動をさせる課題遂行状態となることがあった。つまり、測定データにおいて、図９に示すように、回復していないオキシヘモグロビン濃度の変化量（バイアス成分）ΔＶｏｘｙ（ｔ）に、次のタスク期間によるオキシヘモグロビン濃度の変化量ΔＶｏｘｙ（ｔ）が加わっていくというようなベースラインＬがドリフトするという問題があった。つまり、バイアス成分が、タスク繰り返し回数Ｒが増加するたびに、どんどん累積されていった。なお、このようなドリフトは、ベースライン補正を行うことにより、補正することができるが、補正することは、測定データの信頼性を劣化させることになる。
【００１０】
一方、医師や検査技師等が、タスク期間により変化した被検体が定常状態に確実に回復するように、レスト期間の時間Ｘを充分に長く設定したときには、オキシヘモグロビン濃度の変化量ΔＶｏｘｙ（ｔ）が定常状態に回復することになるが、測定時間Ｒ×（Ｘ＋Ｙ）が長くなるとともに、長い時間、被検体を拘束するために被検体に負担がかかるという問題があった。この測定時間Ｒ×（Ｘ＋Ｙ）は、タスク繰り返し回数Ｒが増加するたびに、非常に長くなることになる。
また、タスク期間により変化したオキシヘモグロビン濃度の変化量ΔＶｏｘｙ（ｔ）が定常状態に回復するために必要となる時間は、各タスク期間で、同じ指の運動をさせる課題遂行状態にさせる内容であっても、異なる場合があった。このため、タスク期間により変化したオキシヘモグロビン濃度の変化量ΔＶｏｘｙ（ｔ）が定常状態に回復するために必要となる最適な時間を決定することは困難であった。
そこで、本発明は、タスク期間とレスト期間とが交互に複数回繰り返されることにより得られる測定データについて、ドリフトさせず、かつ、測定時間を短くすることができる光測定装置を提供することを目的とする。
【課題を解決するための手段】
【００１１】
上記課題を解決するためになされた本発明の光測定装置は、被検体の皮膚表面上に配置される送光プローブと、当該皮膚表面上に配置される受光プローブとを有する送受光部と、前記送光プローブが皮膚表面に光を照射するとともに、前記受光プローブが皮膚表面から放出される光を検出するように制御することで、前記被検体の測定部位に関する受光量情報を得る送受光部制御部と、前記受光量情報に基づいて、ヘモグロビン濃度の変化量を算出する演算部とを備え、前記被検体に負荷をかけ続けるタスク期間と、前記被検体から負荷を除去するとともに、前記ヘモグロビン濃度の変化量の値及び／又は傾きを定常状態に回復するためのレスト期間とが交互に複数回繰り返されることにより、前記ヘモグロビン濃度の変化量の経時変化を示す測定データを得る光測定装置であって、前記ヘモグロビン濃度の変化量の値及び／又は傾きが定常状態であるか否かを判定するための閾値が設定される設定部と、前記レスト期間におけるヘモグロビン濃度の変化量の値及び／又は傾きを算出する算出部と、前記レスト期間におけるヘモグロビン濃度の変化量の値及び／又は傾きと、前記ヘモグロビン濃度の変化量の値及び／又は傾きが定常状態であるか否かを判定するための閾値とに基づいて、前記レスト期間におけるヘモグロビン濃度の変化量の値及び／又は傾きが定常状態であるか否かを判定する判定部と、前記判定部がヘモグロビン濃度の変化量の値及び／又は傾きが定常状態であると判定したときに、前記レスト期間からタスク期間へ移行させる移行部とを備えるようにしている。
【００１２】
ここで、「負荷」とは、指の運動をする等の被検体の行動に限定されるものではなく、例えば、被検体に音を聞かせる等の被検体自体は受身であってもよく、脳の活動を発現させるものであればよい。
本発明の光測定装置によれば、移行部は、判定部がヘモグロビン濃度の変化量の値ΔＶｈｂ（ｔ）や傾きＴｈｂ（ｔ）が定常状態であると判定したときには、レスト期間からタスク期間へ移行する。一方、判定部がヘモグロビン濃度の変化量の値ΔＶｈｂ（ｔ）や傾きＴｈｂ（ｔ）が定常状態でないと判定したときには、レスト期間からタスク期間へ移行しない。つまり、被検体が定常状態に回復したと判定するときまで、レスト期間が続き、被検体が定常状態に回復したと判定したときには、レスト期間からタスク期間へ移行することになる。すなわち、従来の光測定装置のようにレスト期間を実行する時間Ｘを設定せずに、判定部がヘモグロビン濃度の変化量の値ΔＶｈｂ（ｔ）や傾きＴｈｂ（ｔ）が定常状態であるか否かを判定するので、レスト期間を実行する時間は、一定とならずに、変化することになる。このようにして、タスク期間とレスト期間とが繰り返されることにより、ヘモグロビン濃度の変化量ΔＶｈｂ（ｔ）の経時変化を示す測定データを得る。
【発明の効果】
【００１３】
以上のように、本発明の光測定装置によれば、被検体が定常状態に回復するために必要となる時間がわからくても、ヘモグロビン濃度の変化量の値ΔＶｈｂ（ｔ）や傾きＴｈｂ（ｔ）による判定結果に基づいて、レスト期間からタスク期間へ移行するか否かを判定するので、測定データについてドリフトさせず、かつ、測定時間を短くすることができる。
【００１４】
（その他の課題を解決するための手段及び効果）
また、本発明の光測定装置は、前記ヘモグロビン濃度の変化量の値及び／又は傾きが定常状態であるか否かを判定するための閾値が設定される設定部と、前記レスト期間におけるヘモグロビン濃度の変化量の値及び／又は傾きを算出する算出部とを備えるようにしてもよい。
ここで、「閾値」は、上限のみであってもよく、下限のみであってもよく、ある範囲を示すものであってもよい。さらに、閾値は、計測を開始する前にそのつど設定されてもよく、計測を開始する前にそのつど設定されるものでなく、予め光測定装置の購入前等に設定されていてもよい。
本発明の光測定装置によれば、計測を開始する前に、入力装置等を用いて設定部に、ヘモグロビン濃度の変化量の値ΔＶｈｂ（ｔ）や傾きＴｈｂ（ｔ）が定常状態であると判定するための閾値（｜ΔＶｈｂ（ｔ）｜≦Ａ及び／又は｜Ｔｈｂ（ｔ）｜≦Ｂ）を設定する。つまり、本発明の光測定装置では、従来の光測定装置のようにレスト期間を実行する時間Ｘを設定せずに、ヘモグロビン濃度の変化量の値ΔＶｈｂ（ｔ）や傾きＴｈｂ（ｔ）が定常状態であるか否かを判定するための閾値（｜ΔＶｈｂ（ｔ）｜≦Ａ及び／又は｜Ｔｈｂ（ｔ）｜≦Ｂ）を設定する。これにより、レスト期間を実行する時間は、一定とならずに、被検体のヘモグロビン濃度の変化量の値ΔＶｈｂ（ｔ）や傾きＴｈｂ（ｔ）によって変化することになる。なお、閾値（｜ΔＶｈｂ（ｔ）｜≦Ａ及び／又は｜Ｔｈｂ（ｔ）｜≦Ｂ）は、計測を開始する前にそのつど設定されるものでなく、予め光測定装置の購入前等に設定されていてもよい。
【００１５】
そして、計測を開始すると、送受光部制御部は、送光プローブが皮膚表面に光を照射するとともに、受光プローブが皮膚表面から放出される光を検出するように制御することで、被検体の測定部位に関する受光量情報を得ていく。演算部は、得られた受光量情報に基づいて、公知の演算式を用いることにより、ヘモグロビン濃度の変化量ΔＶｈｂ（ｔ）を算出していく。
このとき、算出部は、レスト期間におけるヘモグロビン濃度の変化量の値ΔＶｈｂ（ｔ）や傾きＴｈｂ（ｔ）を算出していく。
判定部は、算出されていくレスト期間におけるヘモグロビン濃度の変化量の値ΔＶｈｂ（ｔ）や傾きＴｈｂ（ｔ）が閾値（｜ΔＶｈｂ（ｔ）｜≦Ａ及び／又は｜Ｔｈｂ（ｔ）｜≦Ｂ）内であるか否かを判定していく。つまり、被検体が定常状態に回復したか否かを判定する。
移行部は、判定部がヘモグロビン濃度の変化量の値ΔＶｈｂ（ｔ）や傾きＴｈｂ（ｔ）が閾値（｜ΔＶｈｂ（ｔ）｜≦Ａ及び／又は｜Ｔｈｂ（ｔ）｜≦Ｂ）内であると判定したときには、レスト期間からタスク期間へ移行する。一方、判定部がヘモグロビン濃度の変化量の値ΔＶｈｂ（ｔ）や傾きＴｈｂ（ｔ）が閾値（｜ΔＶｈｂ（ｔ）｜≦Ａ及び／又は｜Ｔｈｂ（ｔ）｜≦Ｂ）内でないと判定したときには、レスト期間からタスク期間へ移行しない。つまり、被検体が定常状態に回復したと判定するときまで、レスト期間が続き、被検体が定常状態に回復したと判定したときには、レスト期間からタスク期間へ移行することになる。
このようにして、タスク期間とレスト期間とが繰り返されることにより、ヘモグロビン濃度の変化量ΔＶｈｂ（ｔ）の経時変化を示す測定データを得る。
【００１６】
また、本発明の光測定装置は、前記算出部は、直前の設定期間でのヘモグロビン濃度の変化量の値と、新たに算出されるヘモグロビン濃度の変化量の値とを用いて、平滑化処理を行うことにより、前記ヘモグロビン濃度の変化量の補正値及び／又はその傾きを算出するようにしてもよい。
本発明の光測定装置によれば、平滑化処理を行ったヘモグロビン濃度の変化量の補正値ΔＶ’ｈｂ（ｔ）及び／又はその傾きＴ’ｈｂ（ｔ）を用いるので、被検体を定常状態に確実に回復することができるようになる。
【００１７】
また、本発明の光測定装置は、前記移行部は、前記レスト期間からタスク期間へ移行するように指示する画像を表示するようにしてもよい。
本発明の光測定装置によれば、医師や検査技師等が表示された画像を見ながら、レスト期間からタスク期間へ移行するだけで、測定データについてドリフトさせず、かつ、測定時間を短くすることができる。
【００１８】
また、本発明の光測定装置は、前記設定部は、前記タスク期間の時間と回数とが設定され、前記移行部は、前記タスク期間からレスト期間へ移行するように指示する画像を表示するようにしてもよい。
本発明の光測定装置によれば、医師や検査技師等が表示された画像を見ながら、タスク期間からレスト期間へ移行することができる。
【００１９】
そして、本発明の光測定装置は、前記ヘモグロビン濃度は、オキシヘモグロビン濃度とデオキシヘモグロビン濃度とであり、前記送受光部制御部は、前記送光プローブが異なる複数の波長の光を照射するとともに、前記受光プローブが異なる複数の波長の光をそれぞれ検出するように制御することで、前記受光量情報を得て、前記判定部は、前記オキシヘモグロビン濃度及びデオキシヘモグロビン濃度の両方の変化量の値及び／又は傾きが定常状態であるか否かを判定して、前記移行部は、前記判定部がオキシヘモグロビン濃度及びデオキシヘモグロビン濃度の両方の変化量の値及び／又は傾きが定常状態であると判定したときに、前記レスト期間からタスク期間へ移行させるようにしてもよい。
本発明の光測定装置によれば、オキシヘモグロビン濃度及びデオキシヘモグロビン濃度の両方の変化量の値ΔＶｏｘｙ（ｔ）、ΔＶｄｅｏｘｙ（ｔ）や傾きＴｏｘｙ（ｔ）、Ｔｄｅｏｘｙ（ｔ）を用いるので、被検体を定常状態に確実に回復することができるようになる。また、オキシヘモグロビン濃度の変化量ΔＶｏｘｙ（ｔ）の経時変化と、デオキシヘモグロビン濃度の変化量ΔＶｄｅｏｘｙ（ｔ）の経時変化とを示す測定データについてドリフトさせず、かつ、測定時間を短くすることができる。
【００２０】
さらに、本発明の光測定装置は、前記送受光部は、複数個の送光プローブと複数個の受光プローブとを有し、前記送受光部制御部は、前記複数の測定部位に関する受光量情報を得て、  前記判定部は、前記複数の測定部位におけるヘモグロビン濃度の変化量の値及び／又は傾きが定常状態であるか否かを判定して、前記移行部は、前記判定部が全ての測定部位におけるヘモグロビン濃度の変化量の値及び／又は傾きが定常状態であると判定したときに、前記レスト期間からタスク期間へ移行させるようにしてもよい。
本発明の光測定装置によれば、複数の測定部位におけるヘモグロビン濃度の変化量の値ΔＶｈｂ（ｔ）や傾きＴｈｂ（ｔ）を用いるので、被検体を定常状態に確実に回復することができるようになる。また、複数の測定部位におけるヘモグロビン濃度の変化量ΔＶｈｂ（ｔ）の経時変化を示す測定データについてドリフトさせず、かつ、測定時間を短くすることができる。
【発明を実施するための最良の形態】
【００２１】
以下、本発明の実施形態について図面を用いて説明する。なお、本発明は、以下の実施形態に限定されるものではなく、本発明の趣旨を逸脱しない範囲で種々の態様が含まれることはいうまでもない。
【００２２】
図１は、本発明の一実施形態である光測定装置の構成を示すブロック図である。光測定装置１は、送受光部１１と、発光部２と、光検出部３と、光測定装置１全体の制御を行う制御部（コンピュータ）２０とにより構成される。
また、図２は、送受光部１１における９個の送光プローブ１２と、８個の受光プローブ１３との位置関係を示す平面図である。
送受光部１１は、図２に示すように、９個の送光プローブ１２と、８個の受光プローブ１３とを有し、送光プローブ１２と受光プローブ１３とが斜め方向とその直交方向とに交互となるように配置されたものである。なお、送光プローブ１２と受光プローブ１３との間の距離は、３０ｍｍである。また、９個の送光プローブ１２は、光を出射するものであり、一方、８個の受光プローブ１３は、光強度を検出するものである。
発光部２は、コンピュータ２０から入力された駆動信号により９個の送光プローブ１２のうちから選択される１個の送光プローブ１２に光を送光する。上記光としては、近赤外光（例えば、７８０ｎｍと８０５ｎｍと８３０ｎｍとの３波長光）が用いられる。
光検出部３は、９個の受光プローブ１３で受光した近赤外光（例えば、７８０ｎｍと８０５ｎｍと８３０ｎｍとの３波長光）を個別に検出することにより、８個の受光量情報ΔＡ７８０（ｔ）、ΔＡ８０５（ｔ）、ΔＡ８３０（ｔ）をコンピュータ２０に出力する。
【００２３】
コンピュータ２０においては、ＣＰＵ２１を備え、さらに、メモリ（記憶部）２５と、モニタ画面２３ａ等を有する表示装置２３と、入力装置２２であるキーボード２２ａやマウス２２ｂとが連結されている。
なお、受光量情報ΔＡ７８０（ｔ）、ΔＡ８０５（ｔ）、ΔＡ８３０（ｔ）から公知の下記演算式（１）（２）（３）を用いて、オキシヘモグロビン濃度の変化量ΔＶｏｘｙ（ｔ）と、デオキシヘモグロビン濃度の変化量ΔＶｄｅｏｘｙ（ｔ）と、ヘモグロビン濃度の変化量ΔＶｈｂ（ｔ）とを算出することができるが、ここでは説明を簡単にするため、オキシヘモグロビン濃度の変化量ΔＶｏｘｙ（ｔ）のみを用いて被検体が定常状態に回復したか否かを判定する場合について説明することとする。
ΔＶｏｘｙ（ｔ）＝-3ΔＡ８０５（ｔ）+3ΔＡ８３０（ｔ）・・・・・・・・・・・・・・（１）
ΔＶｄｅｏｘｙ（ｔ）＝1.6ΔＡ７８０（ｔ）-2.8ΔＡ８０５（ｔ）+1.2ΔＡ８３０（ｔ）・・・（２）
ΔＶｈｂ（ｔ）＝1.6ΔＡ７８０（ｔ）-5.8ΔＡ８０５（ｔ）+4.2ΔＡ８３０（ｔ）・・・・（３）
よって、図４に示すように、光測定装置１では、ある測定部位において、オキシヘモグロビン濃度の変化量ΔＶｏｘｙ（ｔ）の経時変化を示す測定データが得られることになる。なお、図４中では、測定データにおける縦軸を被検体が送受光部１１を装着した時点のオキシヘモグロビン濃度からのオキシヘモグロビン濃度の変化量ΔＶｏｘｙとし、横軸を時間ｔとする。
【００２４】
また、ＣＰＵ２１が処理する機能をブロック化して説明すると、発光部２及び光検出部３を制御する送受光部制御部４と、オキシへモグロビン濃度の変化量の値ΔＶｏｘｙ（ｔ）を算出する演算部３１と、閾値（｜ΔＶ’ｏｘｙ（ｔ）｜≦Ａ及び｜Ｔ’ｏｘｙ（ｔ）｜≦Ｂ）が設定される設定部３２と、オキシヘモグロビン濃度の変化量の補正値ΔＶ’ｏｘｙ（ｔ）及びその傾きＴ’ｏｘｙ（ｔ）を算出する算出部３３と、オキシヘモグロビン濃度の変化量の補正値ΔＶ’ｏｘｙ（ｔ）及びその傾きＴ’ｏｘｙ（ｔ）が閾値内であるか否かを判定する判定部３４と、レスト期間からタスク期間へ移行するように指示する画像を表示する移行部３５とを有する。
【００２５】
また、メモリ２５は、受光量情報を記憶していく受光量情報記憶部５２と、オキシヘモグロビン濃度の変化量の値ΔＶｏｘｙ（ｔ）を記憶していく濃度変化量記憶部５３と、タスク期間を実行する時間Ｙ及び回数Ｒを記憶するタスク期間記憶部５４と、レスト期間におけるオキシヘモグロビン濃度の変化量の補正値ΔＶ’ｏｘｙ（ｔ）及びその傾きＴ’ｏｘｙ（ｔ）を記憶していくレスト期間記憶部５５と、閾値（｜ΔＶ’ｏｘｙ（ｔ）｜≦Ａ及び｜Ｔ’ｏｘｙ（ｔ）｜≦Ｂ）を記憶する閾値記憶部５６とを有する。
【００２６】
設定部３２は、入力装置２２からの操作信号に基づいて、タスク期間の時間Ｙと回数Ｒとが設定されることにより、タスク期間の時間Ｙと回数Ｒとをタスク期間記憶部５４に記憶させるとともに、オキシヘモグロビン濃度の変化量の補正値ΔＶ’ｏｘｙ（ｔ）及びその傾きＴ’ｏｘｙ（ｔ）が定常状態であると判定するための閾値（｜ΔＶ’ｏｘｙ（ｔ）｜≦Ａ及び｜Ｔ’ｏｘｙ（ｔ）｜≦Ｂ）が設定されることにより、閾値（｜ΔＶ’ｏｘｙ（ｔ）｜≦Ａ及び｜Ｔ’ｏｘｙ（ｔ）｜≦Ｂ）を閾値記憶部５６に記憶させる制御を行う。
具体的には、計測を開始する前に医師や検査技師等が、モニタ画面２３ａに表示された入力画面を用いて、タスク期間を実行する時間Ｙと回数Ｒ、閾値Ａ、Ｂ等の計測条件を入力して設定する。図３は、光測定装置における計測条件を設定するための入力画面の一例を示す図である。例えば、タスク期間の時間Ｙを２０秒とし、タスク繰り返し回数Ｒを３回とし、オキシヘモグロビン濃度の変化量の補正値ΔＶ’ｏｘｙ（ｔ）の閾値Ａを−０．０１ｍｍｏｌ以上０．０１ｍｍｏｌ以下とし、オキシヘモグロビン濃度の変化量の補正値ΔＶ’ｏｘｙ（ｔ）の傾きＴ’ｏｘｙ（ｔ）の閾値Ｂを−０．０１以上０．０１以下とするように、キーボード２２ａ等を用いて入力画面に入力する。
これにより、光測定装置１では、全ての測定部位＃１〜＃２４におけるオキシヘモグロビン濃度の変化量の補正値ΔＶ’ｏｘｙ（ｔ）が閾値｜ΔＶ’ｏｘｙ（ｔ）｜≦Ａ内となり、かつ、全ての測定部位＃１〜＃２４におけるオキシヘモグロビン濃度の変化量の補正値ΔＶ’ｏｘｙ（ｔ）の傾きＴ’ｏｘｙ（ｔ）が閾値｜Ｔ’ｏｘｙ（ｔ）｜≦Ｂ内となったときを、被検体が定常状態に回復したと判定することになる（図４参照）。
そして、計測を実行した場合に、後述する移行部３５が、入力された計測条件に基づいて、タスク期間からレスト期間へ移行するときには、タスク期間からレスト期間へ移行するように指示する画像を表示したり、レスト期間からタスク期間へ移行するときには、レスト期間からタスク期間へ移行するように指示する画像を表示したりする。そして、医師や検査技師等がモニタ画面２３ａに表示された画像を見ながら被検体に指示を与え、被検体は医師や検査技師等からの指示に従ってレスト期間とタスク期間とを交互に複数回Ｒ、実行することになる。  
【００２７】
送受光部制御部４は、発光部２に駆動信号を出力する発光制御部４２と、光検出部３からの受光量情報を受けることにより受光量情報を受光量情報記憶部５２に記憶させる光検出制御部４３とを有する。
発光制御部４２は、送光プローブ１２に光を送光する駆動信号を発光部２に出力する制御を行う。例えば、まず、１個の送光プローブ１２に光を０．１５秒間送光させ、次に、他の１個の送光プローブ１２に光を０．１５秒間送光させるように順次、送光プローブ１２に光を送光させる駆動信号を発光部２に出力する。
光検出制御部４３は、光検出部３からの受光量情報を受けることにより、８個の受光プローブ１３から検出された８個の受光量情報を受光量情報記憶部５２に記憶させる制御を行う。つまり、１個の送光プローブから光が送光されるごとに、８個の受光量情報が受光量情報記憶部５２に記憶されることになる。
演算部３１は、受光量情報記憶部５２に記憶された受光量情報において、送光プローブ１２から、送光プローブ１２と隣接した受光プローブ１３への光の受光量情報を取得して、取得した受光量情報に基づいて、上記演算式（１）（２）（３）を用いることによりオキシヘモグロビン濃度の変化量の値ΔＶｏｘｙ（ｔ）を算出して濃度変化量記憶部５３に記憶させていく制御を行う。
【００２８】
算出部３２は、移行部３５からレスト期間に移行させた状態信号を受信したときには、全ての測定部位＃１〜＃２４におけるヘモグロビン濃度の変化量の補正値ΔＶ’ｏｘｙ（ｔ）及びその傾きＴ’ｏｘｙ（ｔ）を算出して、レスト期間記憶部５５に記憶させていく制御を行う。
例えば、後述する移行部３５がレスト期間に移行させたときには、濃度変化量記憶部５３に記憶された設定期間ｔ-４Δｔ〜ｔ-Δｔでのオキシヘモグロビン濃度の変化量の値ΔＶｏｘｙ（ｔ-４Δｔ）、ΔＶｏｘｙ（ｔ-３Δｔ）、ΔＶｏｘｙ（ｔ-２Δｔ）、ΔＶｏｘｙ（ｔ-Δｔ）と、濃度変化量記憶部５３に時間ｔに記憶するオキシヘモグロビン濃度の変化量の値ΔＶｏｘｙ（ｔ）とを用いて、下記演算式（４）による平滑化処理を行うことにより、ヘモグロビン濃度の変化量の補正値ΔＶ’ｏｘｙ（ｔ）を算出する。
ΔＶ’ｏｘｙ（ｔ）＝｛ΔＶｏｘｙ（ｔ-４Δｔ）+ΔＶｏｘｙ（ｔ-３Δｔ）+ΔＶｏｘｙ（ｔ-２Δｔ）+ΔＶｏｘｙ（ｔ-Δｔ）+ΔＶｏｘｙ（ｔ）｝／５・・・・（４）
また、下記演算式（５）を用いて、ヘモグロビン濃度の変化量の補正値ΔＶ’ｏｘｙ（ｔ）の傾きＴ’ｏｘｙ（ｔ）を算出する。
Ｔ’ｏｘｙ（ｔ）＝｛ΔＶ’ｏｘｙ（ｔ）-ΔＶ’ｏｘｙ（ｔ-Δｔ）｝／Δｔ・・・・（５）
【００２９】
判定部３４は、レスト期間記憶部５５に記憶されていく全ての測定部位＃１〜＃２４におけるオキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であるか否かを判定する制御を行う。
具体的には、全ての測定部位＃１〜＃２４におけるオキシヘモグロビン濃度の変化量の補正値ΔＶ’ｏｘｙ（ｔ）が閾値｜ΔＶ’ｏｘｙ（ｔ）｜≦Ａを満たし、かつ、全ての測定部位＃１〜＃２４におけるオキシヘモグロビン濃度の変化量の補正値ΔＶ’ｏｘｙ（ｔ）の傾きＴ’ｏｘｙ（ｔ）が閾値｜Ｔ’ｏｘｙ（ｔ）｜≦Ｂを満たしたときには、被検体が定常状態に回復したと判定する。
【００３０】
移行部３５は、判定部３４による判定結果に基づいて、タスク期間からレスト期間へ移行するときには、タスク期間からレスト期間へ移行するように指示する画像を表示したり算出部３２に状態信号を送信したりし、一方、レスト期間からタスク期間へ移行するときには、レスト期間からタスク期間へ移行するように指示する画像を表示したり算出部３２に状態信号を送信したりする制御を行う。
例えば、計測を実行したときには、まず、１回目のタスク期間を実行するように指示する画像をモニタ画面２３ａに表示する。その後、一定時間Ｙが経過したときには、１回目のタスク期間を終了するように指示する画像をモニタ画面２３ａに表示するとともに、算出部３２にレスト期間に移行した状態信号を送信する。その後、判定部３４がオキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であると判定したときに、２回目のタスク期間を実行するように指示する画像を表示するとともに、算出部３２にタスク期間に移行した状態信号を送信する。以後、一定時間Ｙが経過したときには、タスク期間を終了するように指示する画像をモニタ画面２３ａに表示するとともに、算出部３２に状態信号を送信し、判定部３４がオキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であると判定したときには、タスク期間を実行するように指示する画像をモニタ画面２３ａに表示するとともに、算出部３２に状態信号を送信するというように、複数回Ｒ繰り返し行う。
これにより、医師や検査技師等がモニタ画面２３ａに表示された画像を見ながら被検体に指示を与え、被検体は医師や検査技師等からの指示に従ってレスト期間とタスク期間とを交互に複数回Ｒ、実行することになる。医師や検査技師等がモニタ画面２３ａに表示された画像を見ながら、レスト期間とタスク期間とを交互に複数回Ｒ繰り返し実行することになる。
【００３１】
次に、光測定装置１により、オキシヘモグロビン濃度の変化量ΔＶｏｘｙ（ｔ）の経時変化を示す測定データを得る測定方法について説明する。図５及び図６は、光測定装置１による測定方法の一例について説明するためのフローチャートである。
まず、ステップＳ１０１の処理において、医師や検査技師等は、入力画面を用いて、タスク期間の時間Ｙと回数Ｒ、閾値Ａ、Ｂ等の計測条件を入力する（図３参照）。
次に、ステップＳ１０２の処理において、設定部３２は、入力装置２２からの操作信号に基づいて、タスク期間の時間Ｙと回数Ｒとを記憶させるとともに、閾値（｜ΔＶ’ｏｘｙ（ｔ）｜≦Ａ及び｜Ｔ’ｏｘｙ（ｔ）｜≦Ｂ）を記憶させる。
次に、ステップＳ１０３の処理において、披検体の頭皮表面に送受光部１１を配置する。
【００３２】
次に、ステップＳ１０４の処理において、移行部３５は、タスク期間へ移行するように指示する画像を表示する。
次に、ステップＳ１０５の処理において、発光制御部４２及び光検出制御部４３は、発光部２に駆動信号を出力するとともに、光検出部３からの受光量情報を受けることにより受光量情報を受光量情報記憶部５２に記憶させる。
次に、ステップＳ１０６の処理において、演算部３１は、受光量情報記憶部５２に記憶された受光量情報において、送光プローブ１２から、送光プローブ１２と隣接した受光プローブ１３への光の受光量情報を取得して、取得した受光量情報に基づいて、上記演算式（１）（２）（３）を用いることによりオキシヘモグロビン濃度の変化量の値ΔＶｏｘｙ（ｔ）を算出して濃度変化量記憶部５３に記憶させる。
次に、ステップＳ１０７の処理において、移行部３５は、タスク期間を終了する時間Ｙであるか否かを判定する。タスク期間を終了する時間Ｙでないと判定したときには、ステップＳ１０４の処理に戻る。
一方、タスク期間を終了する時間Ｙであると判定したときには、ステップＳ１０８の処理において、移行部３５は、タスク期間からレスト期間へ移行するように指示する画像を表示する。
【００３３】
次に、ステップＳ１０９の処理において、発光制御部４２及び光検出制御部４３は、発光部２に駆動信号を出力するとともに、光検出部３からの受光量情報を受けることにより受光量情報を受光量情報記憶部５２に記憶させる。
次に、ステップＳ１１０の処理において、演算部３１は、受光量情報記憶部５２に記憶された受光量情報において、送光プローブ１２から、送光プローブ１２と隣接した受光プローブ１３への光の受光量情報を取得して、取得した受光量情報に基づいて、上記演算式（１）（２）（３）を用いることによりオキシヘモグロビン濃度の変化量の値ΔＶｏｘｙ（ｔ）を算出して濃度変化量記憶部５３に記憶させる。
次に、ステップＳ１１１の処理において、算出部３２は、全ての測定部位＃１〜＃２４におけるヘモグロビン濃度の変化量の補正値ΔＶ’ｏｘｙ（ｔ）及びその傾きＴ’ｏｘｙ（ｔ）を算出して、レスト期間記憶部５５に記憶させる。
【００３４】
次に、ステップＳ１１２の処理において、判定部３４は、レスト期間記憶部５５に記憶された全ての測定部位＃１〜＃２４におけるオキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であるか否かを判定する。
少なくとも一つの測定部位＃１〜＃２４におけるオキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内でないときには、ステップＳ１０９の処理に戻る。
一方、全ての測定部位＃１〜＃２４におけるオキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であるときには、ステップＳ１１３の処理において、タスク期間を終了する回数Ｒであるか否かを判定する。
タスク期間を終了する回数Ｒでないと判定したときには、ステップＳ１０４の処理に戻る。
一方、タスク期間を終了する回数Ｒであると判定したときには、本フローチャートを終了させる。
【００３５】
以上のように、光測定装置１によれば、被検体が定常状態に回復するために必要となる時間がわからなくても、オキシヘモグロビン濃度の変化量の補正値ΔＶ’ｏｘｙ（ｔ）及びその傾きＴ’ｏｘｙ（ｔ）による判定結果に基づいて、レスト期間からタスク期間へ移行するか否かを判定するので、測定データについてドリフトさせず、かつ、測定時間を短くすることができる。
【００３６】
（他の実施形態）
（１）上述した光生体測定装置１では、９個の送光プローブ１２と８個の受光プローブ１３とを有する送受光部１１を示したが、異なる数、例えば１２個の送光プローブと１２個の受光プローブとを有する送受光部としてもよい。
（２）上述した光測定装置１では、判定部３４は、オキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であるか否かを判定する構成を示したが、オキシヘモグロビン濃度の変化量の補正値ΔＶ’ｏｘｙ（ｔ）、又は、その傾きＴ’ｏｘｙ（ｔ）のどちらか一方が閾値（｜ΔＶ’ｏｘｙ（ｔ）｜≦Ａ又は｜Ｔ’ｏｘｙ（ｔ）｜≦Ｂ）内であるか否かを判定する構成としてもよい。
（３）上述した光測定装置１では、移行部３５は、タスク期間からレスト期間へ移行するように指示する画像を表示したり、レスト期間からタスク期間へ移行するように指示する画像を表示したりすることにより、被検体にタスクをかけるように医師や検査技師等に指示する構成を示したが、判定部３４による判定結果に基づいて、被検体に音（タスク）を出したり、出さなかったりするような被検体にタスクを光測定装置が自動的にかける構成としてもよい。
（４）上述した光測定装置１では、判定部３４は、オキシヘモグロビン濃度の変化量の補正値ΔＶ’ｏｘｙ（ｔ）及びその傾きＴ’ｏｘｙ（ｔ）が閾値（｜ΔＶ’ｏｘｙ（ｔ）｜≦Ａ及び｜Ｔ’ｏｘｙ（ｔ）｜≦Ｂ）内であるか否かを判定する構成を示したが、オキシヘモグロビン濃度の変化量の原点（ΔＶｏｘｙ（ｔ）＝０、ｔ＝０）とオキシヘモグロビン濃度の変化量の値ΔＶｏｘｙ（ｔ）とを結んだ線の傾きが設定範囲内であるか否かを判定する構成としてもよい。
【産業上の利用可能性】
【００３７】
本発明は、脳内の各部位の血流の経時変化や酸素供給の経時変化を測定することにより、生体の組織が正常であるか否かを診断するための酸素モニタ等として使用することができる。
【図面の簡単な説明】
【００３８】
【図１】本発明の一実施形態である光測定装置の構成を示すブロック図である。
【図２】ＮＩＲＳにおける９個の送光プローブと８個の受光プローブとの位置関係を示す平面図である。
【図３】本発明の一実施形態である光測定装置における計測条件を設定するための入力画面の一例を示す図である。
【図４】オキシヘモグロビン濃度の変化量の経時変化を示す測定データの一例を示す図である。
【図５】光測定装置による測定方法の一例について説明するためのフローチャートである。
【図６】光測定装置による測定方法の一例について説明するためのフローチャートである。
【図７】オキシヘモグロビン濃度の変化量の経時変化を示す測定データの一例を示す図である。
【図８】従来の光測定装置における計測条件を設定するための入力画面の一例を示す図である。
【図９】オキシヘモグロビン濃度の変化量の経時変化を示す測定データの一例を示す図である。
【符号の説明】
【００３９】
１：光測定装置
４：送受光部制御部
１１：送受光部
１２：送光プローブ
１３：受光プローブ
２２：入力装置
２３：表示装置
２５：メモリ（記憶部）
３１：演算部
３２：設定部
３３：算出部
３４：判定部
３５：移行部
【図１】
0005195026.tif 000002
【図２】
0005195026.tif 000003
【図３】
0005195026.tif 000004
【図４】
0005195026.tif 000005
【図５】
0005195026.tif 000006
【図６】
0005195026.tif 000007
【図７】
0005195026.tif 000008
【図８】
0005195026.tif 000009
【図９】
0005195026.tif 000010